(57)【要約】  筆記用具（１）は、長手軸方向（１０）に伸びた主ボディ（２）と、基本的に主ボディの１つの端部（２ａ）に配置されたペン先（６）と、インクを含んだカートリッジ（８）と、装着方向（１２）において形成された細長いハウジングを備えた後部ボディ（４）であって、前記ハウジングが前記カートリッジを受容し、かつ装着方向（１２）においてカートリッジ（８）が前記ハウジング内に挿入されまたは抜き取られることを可能にしているアクセス開口部（１６）を備えた後部ボディ（４）と、後部ボディ（４）が長手軸方向（１０）に直交し、関節の軸（２０）の周りに主ボディ（２）に対して、アクセス開口部（１６）が主ボディ（２）から離れるように伸びている装着位置と長手軸方向（１０）および装着方向（１２）がほぼ一致しているロック解除位置との間において、回動する関節手段と、を含んでいる。
2008526559.tif 000002
【特許請求の範囲】
【請求項１】
−  第１端部（２ａ）と第２端部（２ｂ）との間の長手方向（１０）において形成された主ボディ（２）と、ほぼ第１端部近傍に配置されたペン先（６）と、
−  インクを含んだカートリッジ（８）と、
−  第１端部（１４ａ）と第２端部（１４ｂ）との間の装着方向（１２）において形成された細長いハウジング（１４）を備えた後部装着ボディ（４）であって、前記ハウジングが、前記カートリッジを受容し、かつ前記第１端部（１４ａ）において前記カートリッジ（８）が前記ハウジング内に挿入されまたは抜き取られることを可能にしているアクセス開口部（１６）とを備えた後部装着ボディ（４）と、
を含んだ筆記用具において、
前記筆記用具は前記主ボディ（２）と前記後部ボディ（４）とを接続している関節手段をさらに含み、該関節手段は、前記後部ボディ（４）が、前記アクセス開口部（１６）が前記主ボディ（２）から離れて位置している装着位置と、前記長手方向（１０）と前記装着方向（１２）とがほぼ一致しているロック解除位置との間で、前記長手軸（１０）に直交した関節の軸（２０）周りに前記主ボディ（２）に対して回動可能であることを特徴とする筆記用具。
【請求項２】
前記ロック解除位置において、前記後部ボディ（４）の前記第１端部（１４ａ）は、前記関節の軸（２０）と前記主ボディ（２）の前記第１端部（２ａ）との間に配置されていることを特徴とする、請求項1に記載の筆記用具。
【請求項３】
前記関節手段は、前記後部ボディが、前記ロック解除位置と、前記カートリッジが前記ボディ内に係合される位置である使用位置との間で、前記長手軸方向（１０）においてスライド可能としていることを特徴とする、請求項1または２に記載の筆記用具。
【請求項４】
前記関節手段は、前記後部ボディ（４）が前記使用位置と前記ロック解除位置との間で長手軸方向（１０）においてスライドするときに、前記関節の軸（２０）の周りに前記主ボディ（２）に対して回動することを防止していることを特徴とする、請求項３に記載の筆記用具。
【請求項５】
前記関節手段は、互いに面して配置された２つのガイド面（２６ａ，２６ｂ）の間をスライドしてスロット（２６）を形成している２つの平坦部（２４ａ，２４ｂ）を備えたロッド（２２）を含み、
前記ガイド面（２６ａ，２６ｂ）は前記ロッド（２２）を受容するように構成されたくぼみ（２８ａ，２８ｂ）を備え、かつ前記筆記用具がロック解除位置にある場合に前記関節の軸（２０）の周りに前記スロット（２６）に対してロッド（２２）が回動することを可能にし、これにより前記筆記用具（１）の装着位置に向かって前記後部ボディ（４）が回動することを可能にしていることを特徴とする、請求項４に記載の筆記用具。
【請求項６】
前記くぼみ（２８ａ，２８ｂ）は、前記ロッド（２２）が、前記筆記用具の装着位置までの限定された角度（α）だけ関節の軸（２０）の周りにスロット（２６）に対して回動することを可能にしていることを特徴とする、請求項５に記載の筆記用具。
【請求項７】
前記ロック解除位置と前記装着位置との間で前記関節の軸（２０）の周りに前記スロット（２６）に対して前記ロッド（２２）が回動する角度（α）は、２０〜５０°の範囲であることを特徴とする、請求項６に記載の筆記用具。
【請求項８】
前記ロッド（２２）と前記くぼみ（２８ａ，２８ｂ）とは、密接な相補形状を有し、装着位置において前記後部ボディ（４）を保持するために互いに協働していることを特徴とする、請求項６または７に記載の筆記用具。
【請求項９】
前記スロット（２６）は、前記ロッド（２２）と協働するボス（３０）を備え、該ボスは、使用位置において前記主ボディ（２）に対して前記後部ボディ（４）を保持していることを特徴とする、請求項５〜８のいずれか一項に記載の筆記用具。
【請求項１０】
前記主ボディ（２）は、前記第２端部（２ｂ）近傍において前記関節の軸（２０）に略直交し、かつ前記ロッド（２２）が伸びている間で形成された２つのフランジ（３２）を含んでいることを特徴とする、請求項５〜９のいずれか一項に記載の筆記用具。
【請求項１１】
ペン先（６）を覆うことを目的としたキャップ（１８，１１８）と、
前記長手軸方向（１０）の周りに前記主ボディ（２）に対して前記キャップ（１８，１１８）を配置するためのインデックス手段と、
前記長手軸方向（１０）において、前記主ボディ（２）に前記キャップ（１８，１１８）をクリップ留めすることによって保持するための保持手段と、をさらに含んでいることを特徴とする、請求項１〜１０のいずれか一項に記載の筆記用具。
【請求項１２】
−  前記インデックス手段は、
・  前記主ボディ（２）に突出して形成され、かつ前記前端（２ａ）近傍において前記長手軸方向（１０）に略直行して形成された少なくとも１つのスタッド（３４）と、
・  前記スタッド（３４）を相補し、挿入端（３６ａ）と停止端（３６ｂ）との間に形成されたブラインドスロット（３６）と、を含み、
−  前記保持手段は、
前記停止端（３６ｂ）の近傍において前記スロット（３６）内に形成された首部（３８）を含み、前記スロットは、その停止端（３６ｂ）近傍において略Ｗ字状をなし、前記停止端（３６ｂ）において前記スタッドを取り外し可能に保持していることを特徴とする、請求項１１に記載の筆記用具。
【請求項１３】
−  前記インデックス手段は、
・  前記長手軸方向（１０）に半径方向に平坦に形成されてはいるが、前記長手軸方向（１０）において突出したインデックス突起（１３４）と、
・  前記キャップ（１１８）内に形成された相補的な形状のハウジング（１３６）と、を含み、
−  前記保持手段は、
前記主ボディ（２）に形成されたビード（１３７）を含み、該ビードは、弾性変形によって、前記キャップ（１１８）内に突出して形成された保持リング部と協働していることを特徴とする、請求項１１に記載の筆記用具。
【発明の詳細な説明】
【技術分野】
【０００１】
本発明は取り外し可能なインクカートリッジを採用した筆記用具に関する。より具体的には、筆記用具の内部および外部に装着および離脱するための手段に関する。
【背景技術】
【０００２】
−第１端部と第２端部との間の長手方向において形成された主ボディと、ほぼ第１端部近傍に配置されたペン先と、
−インクを含んだカートリッジと、
−第１端部と第２端部との間の装着方向において形成された細長いハウジングを備えた後部装着ボディであって、前記ハウジングが前記カートリッジを受容し、かつ前記第１端部において前記カートリッジが前記ハウジング内に挿入されまたは抜き取られることを可能にしているアクセス開口部とを備えた後部装着ボディを含んだ筆記用具は、
例のごとく知られている。
【発明の開示】
【発明が解決しようとする課題】
【０００３】
本発明は使用済みカートリッジの抜き取りと新しいカートリッジの装着とを容易にすることを目的としている。
【課題を解決するための手段】
【０００４】
このことを実行するために、本発明によれば、前記筆記用具は前記主ボディと前記後部ボディとを接続している関節手段をさらに含み、該関節手段は、前記後部ボディが、前記アクセス開口部が前記主ボディから離れて位置している装着位置と、前記長手方向と前記装着方向とがほぼ一致しているロック解除位置との間で、前記長手軸に直交した関節の軸周りに前記主ボディに対して回動可能である。
【０００５】
従って、カートリッジの交換は分離を必要とせず、従って、後部ボディと主ボディとを再度組み立てることなく、特にカートリッジ交換のためにねじを締めたり緩めたりすることがない。従って、より実用的ですばやくできる。さらに、後部ボディが主ボディに接続されて残るため、新しいカートリッジを装着する間に置き忘れる危険性がない。
【０００６】
本発明の別の特徴によると、ロック解除位置において、後部ボディの第１端部は、関節の軸と前記主ボディの前記第１端部との間に配置されている。
【０００７】
従って、その筆記用具が関節手段を回動することによってロック解除位置におかれた場合、アクセス開口部は自動的に退避される。
【０００８】
本発明の別の特徴によると、関節手段は、前記後部ボディが前記ロック解除位置と、使用位置との間で、前記長手軸方向においてスライド可能としている。
【０００９】
従って、後部ボディをスライドすることで、万年筆カートリッジの場合、そのカートリッジはインクの付いたペン先を供給するために主要素内に係合されることが可能であり、ペン先を含んだカートリッジ（特にボールペン）の場合、ペン先は主ボディを通って通過し、第１端部を通って係合する。
【００１０】
本発明の別の特徴によると、関節手段は、前記後部ボディが使用位置とロック解除位置との間で長手軸方向においてスライドするときに、前記関節の軸の周りに前記主ボディに対して回動することを防止している。
【００１１】
従って、後部ボディを回動させてカートリッジに力がかかる不注意およびカートリッジを破壊するまたは少なくともインクが漏れることを引き起こす傾向の危険性は減少される。
【００１２】
本発明の有利な実施形態によると、関節手段は、互いに面して配置された２つのガイド面の間をスライドしてスロットを形成している２つの平坦部を備えたロッドを含み、前記ガイド面は前記ロッドを受容するように構成されたくぼみを備え、かつ前記筆記用具がロック解除位置にある場合に前記関節の軸の周りにスロットに対してロッドが回動することを可能にし、これにより前記筆記用具が装着位置のほうに向かって前記後部ボディが回動することを可能にしている。
【００１３】
この解決法は、単純で、安価で、強力でかつ実現可能である。
【００１４】
本発明の付加的な特徴によれば、くぼみは、前記ロッドが、前記筆記用具の装着位置までの限定された角度だけ関節の軸の周りにスロットに対して回動することを可能にしている。
【００１５】
回動軸の周りの主ボディに対する後部ボディの回動が装着位置を限定することで、カートリッジを後部ボディのハウジング内に装着する一方で、ペン先を保持することを容易にしている。
【００１６】
カートリッジをハウジング内に装着することをいっそう容易にするために、本発明の別の付加的な特徴によれば、ロッドとくぼみとは、密接な相補形状を有し、装着位置において前記後部ボディを保持するために互いに協働している。
【００１７】
好ましくは、ロック解除位置と装着位置との間で前記関節の軸の周りにスロットに対して前記ロッドが回動する角度は、２０〜５０°の範囲である。
【００１８】
この角度はカートリッジを装着または抜き取るために十分な大きさであり、主ボディと後部ボディとが容易に保持されることを可能にしている。
【００１９】
本発明の１つの特長によると、その筆記用具は、ペン先を覆うことを目的としたキャップと、前記長手軸方向の周りに前記主ボディに対して前記キャップを配置するためのインデックス手段と、前記長手軸方向において、前記主ボディに前記キャップをクリップ留めすることによって保持するための保持手段と、をさらに含んでいる。
【００２０】
従って、主ボディに保持されたキャップは前記主ボディに対して回転に関してインデックス付けされている。
【００２１】
本発明の第１の実施形態によれば、その筆記用具は以下の特徴を備えている：
−前記インデックス手段は、
−・前記主ボディに突出して形成され、かつ前記前端近傍において前記長手軸方向に略直行して形成された少なくとも１つのスタッドと、
−・前記スタッドを相補し、挿入端と停止端との間に形成されたブラインドスロットと、を含み、
−前記保持手段は、
前記停止端の近傍においてスロット内に形成された首部を含み、前記スロットはその停止端近傍において略Ｗ字状をなして、前記停止端において前記スタッドを取り外し可能に保持している。
【００２２】
本発明の変化した実施形態によれば、その筆記用具は以下の特徴も備えている：
−前記インデックス手段は、
−・前記長手軸方向に半径方向に平坦に形成されてはいるが、前記長手軸方向において突出したインデックス突起と、
−・前記キャップ内に形成された相補的な形状のハウジングと、を含み、
−前記保持手段は、
前記主ボディに形成されたビードを含み、該ビードは、弾性変形によって、前記キャップ内に突出して形成された保持リング部と協働している。
【００２３】
本発明は参照符号を付した図で示された、２つの限定されない実施形態の記載を読むことで、より理解されるであろう。
【発明を実施するための最良の形態】
【００２４】
図１〜９は万年筆１を示している。この万年筆は、基本的に、前端２ａと後端２ｂとの間で長手方向１０において形成された主ボディ２と、ペン先６と、管路７とを含み、ペン先および管路は前端２ａ近傍で主ボディ２に固定され、後部ボディ４は後端２ｂの近傍で主ボディ２に接続されており、かつキャップ１８はペン先６を保護することを目的としている。
【００２５】
後部ボディ４は前端１４ａと後端１４ｂとの間で装着方向１２において形成されたハウジング１４を含んでいる。ハウジング１４はタブ４０によって保持されたインクカートリッジ８を含んでいる。
【００２６】
後端２ｂ近傍において、主ボディ２は後部ボディ４のそれぞれの側に、略長手軸方向１２において伸びた２つのフランジ３２を含んでいる。そのフランジ３２はロッド２２によってともに接続され、そのロッドは長手軸方向１０および装着方向１２に直交した関節の軸の方向２０において、後部ボディ４を横切っている。ロッド２２は２つの平坦部２４ａおよび２４ｂを備え、それらの平面は互いに略平行に広がって、ロッド２２は断面領域において略長方形状となっている。
【００２７】
後部ボディ４はスロット２６によって主ボディ２に関節でつながっており、そこでロッド２２は移動自在である。前記スロット２６は２つのガイド面２６ａおよび２６ｂを備え、それらのガイド面は平行で、それぞれの中立面Ｐは関節の軸２０を含んで荷重方向１２に平行である。
【００２８】
図１〜３に示された使用位置において、スロット２６のガイド面２６ａおよび２６ｂは、ロッド２２に形成された平坦部２４ａおよび２４ｂと密接に接触しており、後部ボディ４は、中立面Ｐ内を除いては主ボディ２に対して動かなくなる。
【００２９】
従って、長手方向１０および装着方向１２は、ほぼ同軸である。さらには、後部ボディ４の両側に形成されたフランジ３２は、後部ボディ４の平坦な横側面と協働して、後部ボディ４がロック解除位置と使用位置との間で長手方向１０において、主ボディ２に対して並進運動のみを可能にしている。
【００３０】
後部ボディ４は使用位置においてガイド面２６ｂから突出しているボス３０で形成されたビード（beading）によって保持されている。しかしながら、この保持は、後部ボディ４と主ボディ２との間の長手方向１０において力がかけられた場合に、弾性変形を起こすことによって達成されることを可能にしている。
【００３１】
従って、後部ボディ４は長手方向１０において、主ボディ２に対して距離ｄだけ後退することが可能である。この並進移動の間に、ロッド２２の平坦部２４ａおよび２４ｂは移動し、後部ボディ４のスロット２６のガイド面２６ａおよび２６ｂに寄るように進んでいく。長手方向１０におけるその並進移動は、スロット２６内でロッド２２に隣接して向かい合って形成された断面収縮部４２によって制限されている。
【００３２】
次に、図４および５においてペンが離脱位置にある状態が示されている。ロッド２２はくぼみ２８ａおよび２８ｂに面して配置され、それらのくぼみは、スロット２６のガイド面２６ａおよび２６ｂ内に収納部を形成している。従って、後部ボディ４は主ボディ２に関する間接の軸２０周りに角度αだけ回動する。それはロッド２２をくぼみ２８ａおよび２８ｂに入れることによって達成され、それらのくぼみはその目的でスロット２６内に設けられている。角度αは好ましくは２０〜５０°の範囲であるのがよく、アクセスオリフィス（access orifice）１６がハウジング１４の前端１４ａにおいて伸びている。従って、カートリッジ８を抜き出して、ほぼ係合方向に係合させて新しいカートリッジに入れ替えることができ、関節の軸２０に略平行な軸周りにわずかに回動させてタブ４０の反対に寄せてくるようにもって来ることで達成される。
【００３３】
一旦新しいカートリッジを装着すると、動作は逆の順序で行われる。関節の軸２０周りに後部ボディ４を回動させ、装着方向１２を主ボディ２の長手軸１０に一致させる。次にカートリッジ８を主ボディ２の前端２ａに向かう並進移動を介して主ボディ２内に係合させる。使用時にペンがロックするまで長手軸１０においてボス３０を通って並進移動させる。
【００３４】
さらに主ボディ２は、その前端２ａ近傍に、長手方向１０に略垂直に突出した２つのスタッド３４を含み、キャップ１８はキャップ１８の長手方向にほぼ一致した係合方向４２において形成された、２つの相補的なスロット３６を備えている。
【００３５】
スロット３６は挿入端３６ａと停止端３６ｂとの間に形成されている。停止端３６ｂの近傍において、スロット３６は縮小して形成された首部３８を備え、その近傍で停止端３６ｂは略オメガ形状をなし、閉位置においてキャップ１８を所定の位置に保持することを目的としている。この位置において、キャップ１８は首部３８を利用して前端部２ａ近傍において主ボディ２に保持されているが、スロット３６の停止端３６ｂにおいてスタッド３４を取り外し可能に保持している。ボディ２を保持しているＯリング４４はキャップ１８に圧縮されて、キャップ１８と主ボディ２との間で密封性を向上させている。
【００３６】
図１０〜１２に示されている実施形態の代替形式は、図１〜９に示されている実施形態と基本的に異なっており、スタッド３４とキャップ１８とは（保証付の）インデックス要素（indexing element）１３４とビード１３７とに置き換えられており、それらは主ボディ１０２とキャップ１１８とに形成されている。
【００３７】
図１０〜１２において、図１〜９までと変化していない要素には、同一の参照符号を付しており、それら図１〜９までと相当する要素には、１００を増加した参照符号を付している。
【００３８】
インデックス要素１３４は、主ボディ１０２の略円筒形外面１４６に連続して形成され、延長方向１０に半径方向に平坦であり、長手方向１０において突出している。
【００３９】
キャップ１１８はブラインドハウジング（blind housing）１３６を内部に備え、このブラインドハウジング１３６は、キャップ１１８の係合方向４２において形成されているポラライズ機構（polarizing feature）１３４を相補する形状となっている。それはキャップ内の内側に突出した３つの部分からなる保持リング部１３８をさらに含み、その３つの部分に対応して構成されたビード１３７の弾性変形によって係合している。
【００４０】
キャップ１１８は長手軸１０における軸４２の並進移動によって、主ボディ１０２にクリップ留めされ、ハウジング１３６内にインデックス要素１３４を係止して、保持リング１３８の一部はビード１３７の一部と重なる。
【００４１】
もちろん、この記載された実施形態は、本発明の単なる１つの限定されない例である。従って、詰め替え可能なカートリッジ、ボールポイントまたはフェルトチップが挿入されたものを伴ったペンの使用を考え付くことが可能である。転換はボールペンまたはフェルトチップ型のペン先と適当なペン先６および管路７との置換に効果的である。
【図面の簡単な説明】
【００４２】
【図１】本発明による筆記用具の使用位置における上面図を示している。
【図２】図１の筆記用具のキャップをはずした状態の側面図を示している。
【図３】図１のＩＩＩ−ＩＩＩで指示された線の断面における筆記具の部分図を示している。
【図４】ロック解除位置における図２の筆記用具を示している。
【図５】ロック解除位置における図１のＩＩＩ−ＩＩＩで指示された線の断面における筆記具の部分図を示している。
【図６】装着位置における図２の筆記用具を示している。
【図７】装着位置における図１のＩＩＩ−ＩＩＩで指示された線の断面における筆記具の部分図を示している。
【図８】図１に示されたキャップの斜視図を示している。
【図９】図１の筆記用具の横断面の部分拡大図を示しており、キャップが主ボディの所定の位置に保持されて図１のＩＸ−ＩＸで指示された線で破断された図である。
【図１０】実施形態の代替形式を示した図であり、図１と同じ上面図である。
【図１１】図１０に示された、キャップの実施形態の代替形式を示した斜視図である。
【図１２】図１０の筆記用具の実施形態の代替形式の横断面の部分拡大図を示しており、キャップが主ボディの所定の位置に保持されて図１０のＸＩＩ−ＸＩＩで指示された線で破断された図である。
【符号の説明】
【００４３】
１        万年筆
２        主ボディ
４        後部ボディ
２ａ，１４ａ  前端
２ｂ，１４ｂ  後端
６        ペン先
７        管路
８        インクカートリッジ
１０      長手方向
１２      装着方向
１８      キャップ
２０      関節の軸
２２      ロッド
２４ａ，２４ｂ  平坦部
２６ａ，２６ｂ  ガイド面
２８ａ，２８ｂ  くぼみ
３０      ボス
３２      フランジ
３４      スタッド
３６ａ    挿入端
３６ｂ    停止端
３８      首部
４４      Ｏリング
１０２    主ボディ
１１８    キャップ
１３４    インデックス要素
１３６    ブラインドハウジング
１３７    ビード
１３８    保持リング部
【図１】
2008526559.tif 000003
【図２】
2008526559.tif 000004
【図３】
2008526559.tif 000005
【図４】
2008526559.tif 000006
【図５】
2008526559.tif 000007
【図６】
2008526559.tif 000008
【図７】
2008526559.tif 000009
【図８】
2008526559.tif 000010
【図９】
2008526559.tif 000011
【図１０】
2008526559.tif 000012
【図１１】
2008526559.tif 000013
【図１２】
2008526559.tif 000014
【国際調査報告】
2008526559.tif 000015
2008526559.tif 000016
2008526559.tif 000017
2008526559.tif 000018